(57)【要約】【課題】照明装置、あるいは表示装置として使用可能で、かつ、開閉操作性の良好な点検口照明の提供を目的とする。【解決手段】壁裏空間に固定、保持される外枠１と、  外枠１に回転自在に連結され、壁に開設される開口２を開放操作可能に閉塞する蓋体３とを有し、  前記蓋体３は、該蓋体３の側縁部に配置された光源４からの照射光を側壁面から導光して表面から投光する導光体５を備えて構成する。【選択図】  図７
2010275747.tif 000002
【特許請求の範囲】
【請求項１】
壁裏空間に固定、保持される外枠と、
外枠に回転自在に連結され、壁に開設される開口を開放操作可能に閉塞する蓋体とを有し、
前記蓋体は、該蓋体の側縁部に配置された光源からの照射光を側壁面から導光して表面から投光する導光体を備える点検口照明。
【請求項２】
前記蓋体の表面はほぼ全域にわたって前記導光体の投光面により形成されるとともに、
前記光源は、蓋体の側縁ほぼ全長にわたる長さを有する長尺形状の実装基板に複数のＬＥＤを実装して形成される請求項１記載の点検口照明。
【請求項３】
前記蓋体は、外枠に連結される内枠の開口を前記導光体と光源とを組み込んだ照明パネルにより閉塞して形成される請求項１または２記載の点検口照明。
【請求項４】
前記導光体は、投光面に光拡散部が配置された板状の導光板の背面に光反射シート、および金属製補強プレートを積層した積層体の両側縁部を断面コ字形状に形成された組立レールにより固定して形成されるとともに、
前記光源が、前記金属製補強プレートの側縁部を折り返して導光板の側壁面に正対させた光源固定片に固定される請求項３記載の点検口照明。
【請求項５】
前記照明パネルは内枠に突設される内向きフランジに周縁を支承されるとともに、内枠の内側壁に固定される固定具により挟まれて所定位置に固定される請求項３または４記載の点検口照明。
【発明の詳細な説明】
【技術分野】
【０００１】
本発明は、点検口に照明機能を持たせた点検口照明に関するものである。
【背景技術】
【０００２】
照明装置を組み込んだ点検口としては、特許文献１に記載のものが知られている。この従来例において、天井点検口は、天井開口に固定される外ケース（外枠）内に取付蓋（内枠）をヒンジを介して回転自在に連結して形成される。
【０００３】
内枠には、蛍光ランプが装着され、該蛍光ランプを発光させることにより照明装置としても機能させることができる。
【先行技術文献】
【特許文献】
【０００４】
【特許文献１】実開平６-２５０８号公報
【発明の概要】
【発明が解決しようとする課題】
【０００５】
しかし、上述した従来例において、点検口は、蛍光ランプの収容容器としての内枠を外枠に嵌め込んで開口を閉塞するだけのものであるために、開放操作性が悪いという問題がある。すなわち、内枠には蛍光ランプが露出した状態で装着されており、点検口の開閉操作は、蛍光ランプへの接触による破損を防ぎながら慎重に行う必要があるために、高い操作性を期待できない。
【０００６】
本発明は、以上の欠点を解消すべくなされたものであって、開閉操作性の良好な点検口照明の提供を目的とする。
【課題を解決するための手段】
【０００７】
点検口照明は、天井壁、側壁、あるいは床壁の壁裏空間に固定、保持される矩形枠形状の外枠１と、外枠１に開閉操作可能に連結される蓋体３とを有し、蓋体３を閉塞姿勢にすることにより外枠１の開口、すなわち、壁に開設される開口２を閉塞することができる。
【０００８】
蓋体３の側縁部には光源４が配置されるとともに、蓋体３には、側壁面を入射面として上記光源４からの照射光を内部に導光し、蓋体３表面から投光する導光体５が設けられる。
【０００９】
したがってこの発明において、光源４は蓋体３の側縁部に配置され、かつ、光源４からの照射光は、導光体５を経由して蓋体３表面から投光されるために、光源４を外部に露出しない位置に配置することが可能になる。この結果、光源４の破損を気にすることなく蓋体３の開放操作を行うことができる。
【００１０】
また、光源４は、蓋体３の側縁部であって、導光体５の側壁面を照射できる位置であれば、蓋体３に固定することも、あるいは外枠１側に固定することも可能であり、いずれの場合であっても、導光体５の側壁面への正対部を除いて全体を覆うことにより、光源４の外部への露出を少なくすることができるために、天井壁等に開設される開口２開放後の作業中における光源４への接触も防止できるために、点検作業の効率が向上する。
【００１１】
導光体５は、例えば、蓋体３の一部に埋め込んで、蓋体３の一部に適宜のマーク等を光
らせる方向指示灯等として使用することもできるが、
前記蓋体３の表面はほぼ全域にわたって前記導光体５の投光面により形成されるとともに、
前記光源４は、蓋体３の側縁ほぼ全長にわたる長さを有する長尺形状の実装基板６に複数のＬＥＤ７を実装して形成することにより、照明装置として使用することができる。
【００１２】
照明装置として使用する場合、蓋体３の表面を天井面などの壁面とほぼ同一高さに設定すると、壁面とほぼ同一の面を投光面とする照明が可能になるために、上述した従来例のように、光源４と壁面との間が離れている場合に比して、床面等への影の映り込みがなくなるために、見栄えを向上させることができる。
【００１３】
蓋体３は、全体を導光体５を含んだ板状に形成し、直接外枠１に連結することも可能であるが、
前記蓋体３は、外枠１に連結される内枠８の開口を前記導光体５と光源４とを組み込んだ照明パネル９により閉塞して形成することができる。
【００１４】
蓋体３を内枠８の開口を照明パネル９により閉塞して形成することにより、照明パネル９を通常の蓋板に交換して仕様変更することが可能になるために、製造管理の融通性が高まる。
【００１５】
導光体５は、投光面に光拡散部１０を備える板状の導光板１１の背面に光反射シート１２、および金属製補強プレート１３を積層した積層体の両側縁部を断面コ字形状に形成された組立レール１４により固定して形成することができ、この場合、光源４は、前記金属製補強プレート１３の側縁部を折り返して導光板１１の側壁面に正対させた光源固定片１５に固定することができる。
【００１６】
導光板１１は、透明な合成樹脂等の透明材料により板状に形成され、光源４からの照射光を導入することができる程度の側壁面の確保が可能な程度の厚さ寸法を有する。また、必要に応じて導光板１１の側壁部の厚みを徐々に増加させ、受光面積を拡大することができる。
【００１７】
光反射シート１２は、光源４からの導光光が照明パネル９の背面側に透過することを防止して光量損失を防ぐために設けられ、金属製補強プレート１３は、導光板１１等を背後から支持する機械的補強部材としての機能に加え、光源４の固定、および光源４での発熱の放熱体としても機能する。
【００１８】
光拡散部１０は、導光板１１からの放射光の輝度ムラ等の発生を防止するために導光板１１の投光面に配置される。光拡散部１０は、導光板１１の投光面に多数の光拡散用の白色ドットパターンを印刷したり、あるいは、導光板１１に光拡散機能を有する拡散プレートを積層することにより構成される。
【００１９】
組立レール１４は、導光板１１等の構成部品を一体化するための連結部品としての機能に加えて、上述した金属製補強プレート１３と協働して光源４の保護カバーとしても機能し、光源４の外部への露出を防ぐ。この結果、点検口照明の開閉操作時、あるいは点検作業時に光源４に接触する虞がなくなるために、作業性が向上する。
【００２０】
照明パネル９は、内枠８に突設される内向きフランジ１６に周縁を支承されるとともに、内枠８の内側壁に固定されるＬ字形状の固定具１７により挟まれて所定位置に固定することができる。内枠８に内向きフランジ１６を突設して照明パネル９を載せ、固定具１７により浮き上がりを規制する固定方法を採用することにより、導光板１１に止着子等を貫
入させることなく照明パネル９を強固に固定することが可能になり、結果、止着子等による影の発生を防止することができる。
【００２１】
光源４にＬＥＤ７を使用する場合、該光源４への給電は、商用電源をＡＣ／ＤＣ変換、降圧回路等の電源調整回路を介して行われる。
【発明の効果】
【００２２】
本発明によれば、照明装置として機能させつつ、かつ、開閉操作性を良好にすることができる。
【図面の簡単な説明】
【００２３】
【図１】本発明を示す図で、（ａ）は正面図、（ｂ）は背面図である。
【図２】点検口照明の分解斜視図である。
【図３】天井への取付状態を示す断面図で、（ａ）は蓋体を閉じた状態を示す図、（ｂ）は蓋体の開放状態を示す図である。
【図４】ロック装置の取付状態を示す図で、（ａ）は図３（ａ）の４Ａ部拡大図、（ｂ）は図４（ａ）の４Ｂ方向矢視図である。
【図５】ロック装置を示す図で、（ａ）は一部を断面で示す側面図、（ｂ）は（ａ）の５Ｂ方向矢視図、（ｃ）は（ｂ）の５Ｃ-５Ｃ線断面図である。
【図６】照明パネルを示す図で、（ａ）は正面図、（ｂ）は（ａ）の部分拡大図である。
【図７】図６（ｂ）の７Ａ-７Ａ線断面図である。
【図８】照明パネルの取付状態を示す図で、図１（ａ）の８Ａ-８Ａ線断面図である。
【発明を実施するための形態】
【００２４】
図１以下に示すように、点検口照明は、外枠１内に蓋体３を連結して形成され、天井板１９に開設された天井開口（開口２）に外枠１を嵌合して固定される。図２に示すように、外枠１は、アルミニウム材に押出加工を施して形成される枠片１ａを矩形に枠組みして形成され、吊り金具２０を介して天井裏に配設される図外の梁等に固定される。外枠１の下端（以下、本明細書において、天井への取付姿勢を基準に「上下」を決定する。）には、天井開口２の辺縁を確実に覆うことができるように、外向きフランジ１ｂが形成される。
【００２５】
蓋体３は、上記外枠１と同様に、アルミニウム材の枠片８ａを枠組みした内枠８の開口を照明パネル９により閉塞して形成される。内枠８は外枠１とほぼ同一の高さ寸法を有し、一側縁部において外枠１に回転自在に連結される。
【００２６】
上記内枠８にはロック装置２２が固定される。図４、５に示すように、ロック装置２２はハンドルベース２３に操作ハンドル２４を連結して形成され、内枠８への固定は、内枠８の内壁に固定されるＬ型固定金具２５の水平片２５ａにハンドルベース２３の飾り座金部２３ａを固定して行われる。飾り座金部２３ａとＬ型固定金具２５の水平片２５ａとの間には、後述する照明パネル９の切欠部９ａを下方から覆い、切欠部９ａ辺縁の外部への露出を防ぐためのカバープレート２６が介装される。
【００２７】
図５に示すように、ロック装置２２の操作ハンドル２４は、ハンドルベース２３に空転自在に挿入される操作軸２７に連結され、回り止め膨隆部２４ａをハンドルベース２３に設けられた嵌合凹部２３ｂに嵌合させることにより操作軸２７への回転操作が規制される。また、操作ハンドル２４は、操作軸２７に対して支軸２８周りに回転自在に連結されており、図５（ａ）に示す嵌合位置と、図５（ａ）において鎖線で示す引き出し位置との間で回転操作することができる。
【００２８】
操作ハンドル２４は図外のクリック機構によって嵌合位置に保持されており、クリック機構による思案点を超えて操作ハンドル２４を引き出し位置側に引き出すと、回り止め膨隆部２４ａと嵌合凹部２３ｂとの嵌合状態が解消されて、以後、操作軸２７への回転操作を行い、次いで、照明パネル９に触れることなく、操作ハンドル２４を握って点検口を開口することができる。
【００２９】
図５（ｂ）に示すように、上記操作軸２７への回転操作角を規制するために、操作軸２７には、角柱状突部２７ａに嵌合させて空転が規制される角度規制プレート２９が連結されるとともに、ハンドルベース２３には、角度規制プレート２９の角度規制用切欠２９ａに当接して回転ストローク終端を規制する回転角規制用突部２３ｃが形成される。
【００３０】
以上のように構成されるロック装置２２は、図４に示すように、操作ハンドル２４を下方に向けるととともに、操作軸２７が垂直姿勢をとるようにして内枠８に固定され、さらに、操作軸２７の上端にロックレバー３０が連結される。ロックレバー３０は上端に係止片３０ａを備えており、操作ハンドル２４が嵌合凹部２３ｂに嵌合し、操作軸２７が一方のストローク終端位置（ロック位置）にあるときに、外枠１の上端に係止して内枠８の回転移動を規制する。
【００３１】
したがってこの実施の形態において、操作ハンドル２４が嵌合位置にあり、操作軸２７がロック位置にあるときには、ロックレバー３０が外枠１に係止して内枠８は閉塞位置に保持され、この状態から一旦操作ハンドル２４を引き出した後、ロック解除位置まで回転操作すると、係止片３０ａの外枠１との係止が解除され、内枠８を図３（ｂ）に示す位置まで回転させることができる。
【００３２】
一方、上記照明パネル９は、図６に示すように、内枠８の開口に嵌合可能な矩形形状に形成され、一側縁部に内枠８から突設されるロック装置２２との干渉を防ぐための切欠部９ａが形成される。図７、８に示すように、この照明パネル９は、透明な合成樹脂材により形成される導光板１１と、導光板１１の上面に積層される光反射シート１２と、光反射シート１２上に積層される金属製補強プレート１３とを有し、金属製補強プレート１３の両側縁を折り返して導光板１１の側壁面に正対させた光源固定片１５に光源４が固定される。
【００３３】
光源４は、金属製補強プレート１３の辺長、すなわち、導光板１１の辺長にほぼ等しい長さを有する実装基板６上に複数のＬＥＤ７素子を実装して形成され、実装基板６が金属製補強プレート１３の光源固定片１５に固定される。固定状態において、各ＬＥＤ７素子の投光面が導光板１１の側壁面に正対する。
【００３４】
さらに、上記導光板１１の下面には、光拡散プレートが積層されて光拡散部１０が形成され、照明パネル９は、上記各構成部品を積層した後、切欠部９ａに隣接する二側縁部に組立レール１４を装着して一体化される。組立レール１４は、断面コ字形状を有しており、対向配置される一対の押さえ片１４ａにより積層体を挟み付けることによって各構成部品の分離を規制する。また、照明パネル９には、図示しないプラグを介して商用電源を入力し、変圧、ＡＣ／ＤＣ変換を行ってＬＥＤ７に給電するための電源装置（ＡＣアダプタ
）３１が接続される。
【００３５】
以上のように構成される照明パネル９は、図７、８に示すように、組立レール１４を内枠８の下端から内方に突設される内向きフランジ１６上に載せられて装着される。照明パネル９の装着は、図４に示すように、切欠部９ａが形成される辺をロック装置２２が取り付けられる辺に対応させて行われ、切欠部９ａは、図４（ｂ）に示すように、下方からカバープレート２６により覆われ、端縁の下面への露出が防がれる。カバープレート２６は、下枠の内向きフランジ１６の上端面と照明パネル９の光拡散プレート１０の下端面との隙間に挿入可能な厚さ（この実施の形態においては、組立レール１４の板厚とほぼ同一厚み）に形成される。
【００３６】
また、照明パネル９の四隅部には、ゴムシート等により形成される緩衝体１８が配置され、側方へのずれが防止される。
【００３７】
内向きフランジ１６に載せられた照明パネル９の上方への移動を規制するために、内枠８には、Ｌ字形状をした固定具１７が連結される。図２に示すように、固定具１７は、内枠８の各枠片にネジ止めされ、固定状態において水平片が照明パネル９の上面を押し付け、結果、照明パネル９は内枠８の内向きフランジ１６と固定具１７の水平片に挟み込まれた状態で所定位置に固定される。
【００３８】
固定具１７の内枠８への連結は、図８に示すように、内枠８に開設された透孔８ｂを貫通するビス３２を固定具１７のねじ穴１７ａにねじ込んで行われ、照明パネル９等の誤差を吸収して該照明パネル９を確実に押し付けることができるように、透孔８ｂは、縦長の長孔として形成される。
【００３９】
したがってこの実施の形態において、蓋体３を閉塞した状態で電源装置３１を介して光源４に給電すると、ＬＥＤ７からの発光光は側壁面から導光板１１に導光され、光拡散プレート１０により拡散されて床面側に投光され、照明装置として機能させることができる。また、この状態からロック装置２２を解除して内枠８を開放位置まで回転させると、天井開口２を開放することができ、この状態で天井裏の配管、配線等の点検を行うことができる。
なお、以上の実施の形態においては、点検口照明を天井点検口として構成する場合を示したが、壁点検口や床点検口として構成することも可能である。この場合には、それぞれの使用環境を考慮して、操作ハンドル２４が嵌合位置をとるときに床面等の壁面から突出しないようにロック装置２２に変更を加えたり、外枠１や蓋体３自体の強度、さらにはこれらの壁面への固定強度を高める変更を施したりすることが望ましい。
【符号の説明】
【００４０】
１        外枠
２        開口
３        蓋体
４        光源
５        導光体
６        実装基板
７        ＬＥＤ
８        内枠
９        照明パネル
１０      光拡散部
１１      導光板
１２      光反射シート
１３      金属製補強プレート
１４      組立レール
１５      光源固定片
１６      内向きフランジ
１７      固定具
【図１】
2010275747.tif 000003
【図２】
2010275747.tif 000004
【図３】
2010275747.tif 000005
【図４】
2010275747.tif 000006
【図５】
2010275747.tif 000007
【図６】
2010275747.tif 000008
【図７】
2010275747.tif 000009
【図８】
2010275747.tif 000010